(57)【要約】      （修正有）【課題】光療法の対象者に、当該対象者の状態に応じた光療法を行うことができる照明システムを提供する。【解決手段】照明システム１０は、対象者の健康状態情報を取得する健康状態取得部２１と、健康状態情報を照明装置へ送信する通信部２２と、対象者への施療内容を入力するためのインターフェースである情報端末３０と、ケア情報を照明装置へ送信する通信部３３と、健康状態情報及びケア情報を受信する通信部４１と、取得された健康状態情報及びケア情報に基づいて光源部の光の照射を制御する制御部４２とを備える。【選択図】図２
2018183325.tif 000002
【特許請求の範囲】
【請求項１】
対象者に光を照射する光源部と、
前記対象者への施療内容を示すケア情報を取得する取得部と、
取得された前記ケア情報に基づいて前記光源部の光の照射を制御する制御部とを備える
照明システム。
【請求項２】
前記制御部は、取得された前記ケア情報に基づいて、前記光源部が前記対象者に照射する光の光量、前記対象者への光の照射時間、及び、前記光源部が前記対象者に照射する光に含まれる青色成分の量の少なくとも１つを制御する
請求項１に記載の照明システム。
【請求項３】
前記制御部は、取得された前記ケア情報に基づいて、前記光源部の前記対象者への光の照射開始時刻を制御する
請求項１に記載の照明システム。
【請求項４】
前記制御部は、取得された前記ケア情報に基づいて前記対象者の眠気が強くなる時間帯を推定し、推定された前記時間帯の後の時刻を前記照射開始時刻とする
請求項３に記載の照明システム。
【請求項５】
前記制御部は、取得された前記ケア情報に基づいて前記対象者の眠気が強くなる時間帯を推定し、推定された前記時間帯に属する時刻を前記照射開始時刻とする
請求項３に記載の照明システム。
【請求項６】
前記制御部は、前記照射開始時刻から所定の期間をかけて前記光源部を徐々に明るくする制御を行う
請求項３〜５のいずれか１項に記載の照明システム。
【請求項７】
さらに、
表示部と、
前記表示部に、前記対象者の眠気が強くなると推定される時間帯、前記照射開始時刻、及び、推奨される前記対象者への施療内容の少なくとも１つを表示させる表示制御部とを備える
請求項３〜６のいずれか１項に記載の照明システム。
【請求項８】
前記制御部は、取得された前記ケア情報が示す施療内容の変化に基づいて前記光源部の光の照射を制御する
請求項１に記載の照明システム。
【請求項９】
取得された前記ケア情報には、前記対象者の服薬量が含まれ、
前記制御部は、第１の設定で前記光源部の光の照射を受けていた前記対象者の服薬量が減少する場合に、前記第１の設定を前記第１の設定と異なる第２の設定に変更して前記対象者への光の照射を行う
請求項８に記載の照明システム。
【請求項１０】
前記取得部は、さらに、前記対象者の健康状態を示す健康状態情報を取得し、
前記制御部は、取得された前記ケア情報、及び、取得された前記健康状態情報に基づいて前記光源部の光の照射を制御する
請求項１〜９のいずれか１項に記載の照明システム。
【発明の詳細な説明】
【技術分野】
【０００１】
本発明は、光療法に用いられる照明システムに関する。
【背景技術】
【０００２】
従来、光の照射によって対象者の健康状態を改善する光療法が提案されている。特許文献１には、就寝者の入床時に就寝空間の照明を行う照明装置であって、就寝者に適した照明を行うことができる照明装置が開示されている。
【先行技術文献】
【特許文献】
【０００３】
【特許文献１】特開２００７−２９４１４３号公報
【発明の概要】
【発明が解決しようとする課題】
【０００４】
ところで、老人福祉施設などの施設において光療法を行う場合、より効果的な光療法を行うためには、入居者の体調の変化等を考慮して、光療法における光の照射状態（光照射のタイミング及び照度など）を調整する必要がある。しかしながら、光療法はまだまだ一般的とは言い難く、光療法に対する専門的な知識を有しない老人福祉施設のスタッフが入居者の体調の変化等を考慮して光療法を行うことは困難である。
【０００５】
本発明は、光療法の対象者に、当該対象者の状態に応じた光療法を行うことができる照明システムを提供する。
【課題を解決するための手段】
【０００６】
本発明の一態様に係る照明システムは、対象者に光を照射する光源部と、前記対象者への施療内容を示すケア情報を取得する取得部と、取得された前記ケア情報に基づいて前記光源部の光の照射を制御する制御部とを備える。
【発明の効果】
【０００７】
本発明の一態様に係る照明システムは、光療法の対象者に、当該対象者の状態に応じた光療法を行うことができる。
【図面の簡単な説明】
【０００８】
【図１】図１は、実施の形態に係る照明システムの概要を示す図である。
【図２】図２は、実施の形態に係る照明システムの機能構成を示すブロック図である。
【図３】図３は、実施の形態に係る照明システムの動作例のシーケンス図である。
【図４】図４は、ケア情報に基づく設定の切替動作のフローチャートである。
【図５】図５は、健康状態情報に基づく設定の切替の判定基準を説明するための図である。
【図６】図６は、対象者の睡眠相が前進傾向でない場合に用いられる第１のスケジュールの一例を示す図である。
【図７】図７は、対象者の睡眠相が前進傾向である場合に用いられる第２のスケジュールの一例を示す図である。
【図８】図８は、照射開始時刻の変更動作のフローチャートである。
【図９】図９は、対象者の眠気が強い時間帯を推定する例を説明するための図である。
【図１０】図１０は、対象者の眠気が強い時間帯を推定する別の例を説明するための図である。
【図１１】図１１は、施療内容の変化に基づく設定の変更動作の第１フローチャートである。
【図１２】図１２は、施療内容の変化に基づく設定の変更動作の第２フローチャートである。
【図１３】図１３は、対象者の眠気が強くなると推定される時間帯、及び、光療法モードの動作における光の照射開始時刻を示す画像の一例を示す図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［照明システムの概要］
まず、実施の形態に係る照明システムの全体構成について説明する。図１は、実施の形態に係る照明システムの概要を示す図である。図２は、実施の形態に係る照明システムの機能構成を示すブロック図である。
【００１２】
図１及び図２に示される照明システム１０は、老人福祉施設などにおける空間５０において、光療法を行うためのシステムである。照明システム１０は、健康状態取得装置２０と、情報端末３０と、照明装置４０とを備える。
【００１３】
照明システム１０において、健康状態取得装置２０は、例えば、空間５０に配置され、対象者Ａの健康状態を示す健康状態情報を取得する。空間５０は、例えば、対象者Ａの個室内の空間である。取得された対象者Ａの健康状態情報は、照明装置４０に送信される。照明装置４０は、対象者Ａの健康状態情報を取得する。
【００１４】
また、施設のスタッフＳは、情報端末３０に対象者Ａへの施療内容を入力する。施療内容には、例えば、対象者が服用している薬の種類、服薬量、及び、服薬時刻などが含まれる。施療内容は、対象者Ａの主治医などによって入力されてもよい。情報端末３０は、スタッフＳによって入力された対象者Ａの施療内容を受け付け、当該施療内容を示すケア情報を照明装置４０に送信する。照明装置４０は、対象者Ａのケア情報を取得する。
【００１５】
照明装置４０は、取得された対象者Ａの健康状態情報、及び、取得された対象者Ａのケア情報の少なくとも一方に基づいて、光療法用の光を発する。照明装置４０は、例えば、取得された対象者Ａの健康状態情報、及び、取得された対象者Ａのケア情報の少なくとも一方に基づいて照射スケジュールを決定し、決定した照射スケジュールにしたがって発光する。
【００１６】
このように、照明システム１０によれば、スタッフＳに光療法に関する専門的な知識がなくても、対象者は、当該対象者の健康状態または当該対象者への施療内容に応じた光療法を受けることができる。
【００１７】
なお、光療法は、対象者Ａが青色成分（波長４６０ｎｍ以上４９０ｎｍ以下の成分）の光を日中にどの程度浴びるかに応じて基づいて効果の度合いが変化するといわれている。光療法用の光は、白色（色温度は問わない）であってもよいし、白色光（例えば、黒体軌跡上に位置する色温度を有する白色光）よりも青色成分が多い光であってもよい。光療法用の光は、生活活性光などと呼ばれる場合もある。
【００１８】
以下、照明システム１０が備える各装置の詳細な構成について、引き続き図１及び図２を参照しながら説明する。
【００１９】
［健康状態取得装置］
まず、健康状態取得装置２０について説明する。健康状態取得装置２０は、例えば、施設内の対象者Ａの個室内の空間５０に配置され、対象者Ａの健康状態を示す健康状態情報を取得する装置である。健康状態取得装置２０は、健康状態取得部２１と、通信部２２とを備える。
【００２０】
健康状態取得部２１は、対象者Ａの健康状態を示す健康状態情報を取得する。健康状態情報は、例えば、対象者Ａの睡眠状態を示す情報、対象者Ａの認知症の程度を示す情報、または、対象者Ａの活動量を示す情報などであるが、特に限定されない。
【００２１】
健康状態情報が対象者Ａの睡眠状態を示す場合、健康状態取得部２１は、例えば、マット（シート）型のセンサを含む睡眠計であり、睡眠計は、当該センサの上に対象者Ａがいるかどうかを検知する。健康状態取得部２１は、センサの上に対象者Ａがいる期間、つまり、対象者Ａが睡眠中の期間を検知する。言い換えれば、健康状態取得部２１は、対象者Ａが睡眠中の期間を、睡眠状態を示す情報（健康状態情報）として取得する。また、健康状態取得部２１がマット型のセンサを含む睡眠計である場合、対象者Ａの体動量が所定量よりも少ない期間を対象者Ａが睡眠中の期間であると判定してもよい。健康状態取得部２１によって取得された健康状態情報（検知された睡眠中の期間）は、通信部２２によって照明装置４０に送信される。
【００２２】
なお、健康状態情報が対象者Ａの睡眠状態を示す場合、健康状態取得部２１は、カメラ等の撮像部及び画像処理部であってもよい。この場合の健康状態取得部２１は、撮像部によって撮像されたベッド上の画像を画像処理部が画像処理することにより、ベッドに対象者Ａがいると判定した期間を、対象者Ａが睡眠中の期間として検知（取得）する。また、健康状態情報が対象者Ａの睡眠状態を示す場合、健康状態取得部２１は、対象者Ａの深部体温を計測する体温計であってもよい。この場合の健康状態取得部２１は、体温が所定値よりも低いと判定した期間を、対象者Ａが睡眠中の期間として検知（取得）する。
【００２３】
なお、健康状態取得部２１によって取得された健康状態情報は、健康状態取得装置２０が備える記憶部（図示せず）に記憶されてもよい。
【００２４】
通信部２２は、健康状態情報を照明装置４０に送信する。健康状態情報は、例えば、定期的に送信されるが、照明装置４０から送信される健康状態情報の要求に応じて送信されてもよい。通信部２２は、具体的には、健康状態取得装置２０が照明装置４０と通信を行うための通信モジュール（通信回路）である。なお、健康状態取得装置２０及び照明装置４０の間で行われる通信は、有線通信であってもよいし、無線通信であってもよい。通信に用いられる通信規格についても特に限定されない。
【００２５】
［情報端末］
次に、情報端末３０について説明する。情報端末３０は、スタッフＳが対象者Ａへの施療内容を入力するためのユーザインターフェースである。また、情報端末３０は、照明装置４０のコントローラとしても機能する。情報端末３０は、例えば、スマートフォンまたはタブレット端末などの携帯型の情報端末であるが、パーソナルコンピュータなどの据え置き型の情報端末であってもよい。また、情報端末３０は、照明システム１０に含まれる専用の情報端末であって、施設内に設置されてもよい。情報端末３０は、操作受付部３１と、端末制御部３２と、通信部３３と、表示部３４と、記憶部３５とを備える。
【００２６】
操作受付部３１は、対象者Ａへの施療内容の入力操作を受け付ける。操作受付部３１は、例えば、タッチパネル、及び、ハードウェアボタンなどによって実現される。なお、入力される施療内容には、対象者Ａへ既に施療された内容（実績）、及び、今後対象者Ａに施療される内容（予定）の少なくとも一方が含まれる。つまり、ケア情報は、対象者Ａへの施療実績、及び、対象者Ａへの施療予定（ケアプラン）の少なくとも一方を示す。以下の実施の形態において、特に断りの無い場合、ケア情報は、対象者Ａへの施療実績を示す情報であってもよいし、対象者Ａへの施療予定を示す情報であってもよい。
【００２７】
端末制御部３２は、操作受付部３１によって受け付けられた操作に基づいて対象者Ａへの施療内容を示すケア情報を生成し、生成したケア情報を通信部３３に送信させる。また、端末制御部３２は、表示制御部の一例であって、表示部３４への画像の表示制御を行う。端末制御部３２は、具体的には、プロセッサ、マイクロコンピュータ、または専用回路などによって実現される。端末制御部３２は、プロセッサ、マイクロコンピュータ、および専用回路のうち２つ以上の組み合わせによって実現されてもよい。
【００２８】
通信部３３は、端末制御部３２の制御に基づいて、ケア情報を照明装置４０に送信する。ケア情報は、例えば、定期的に送信されるが、照明装置４０から送信されるケア情報の要求に応じて送信されてもよい。通信部３３は、具体的には、情報端末３０が照明装置４０と通信を行うための通信モジュール（通信回路）である。
【００２９】
なお、情報端末３０及び照明装置４０の間で行われる通信は、有線通信であってもよいし、無線通信であってもよい。通信に用いられる通信規格についても特に限定されない。
【００３０】
表示部３４は、端末制御部３２の制御に基づいて施療内容を入力するための画像（入力画面）などを表示する。表示部３４は、具体的には、例えば、液晶パネルまたは有機ＥＬパネルなどを表示デバイスとして含むディスプレイである。
【００３１】
記憶部３５は、端末制御部３２の制御プログラム等が記憶される記憶装置である。記憶部３５は、具体的には、半導体メモリなどにより実現される。記憶部３５には、端末制御部３２によって生成されたケア情報が記憶されてもよい。
【００３２】
［照明装置］
照明装置４０は、空間５０内を照明する装置であり、光療法用の光を発する装置である。照明装置４０は、通信部４１と、制御部４２と、光源部４３と、計時部４４と、記憶部４５とを備える。
【００３３】
通信部４１は、取得部の一例であって、健康状態取得装置２０によって送信される健康状態情報、及び、情報端末３０によって送信されるケア情報を受信（取得）する。
【００３４】
通信部４１は、具体的には、照明装置４０が健康状態取得装置２０及び情報端末３０のそれぞれと通信を行うための通信モジュール（通信回路）である。照明装置４０及び健康状態取得装置２０の間で行われる通信は、例えば、無線通信であるが、有線通信であってもよい。通信に用いられる通信規格についても特に限定されない。照明装置４０及び情報端末３０の間で行われる通信は、例えば、無線通信であるが、有線通信であってもよい。通信に用いられる通信規格についても特に限定されない。なお、照明装置４０及び健康状態取得装置２０の間の通信規格と、照明装置４０及び情報端末３０の間の通信規格とが異なるような場合、通信部４１は、複数種類の通信モジュール（通信回路）によって構成されてもよい。
【００３５】
制御部４２は、通信部４１によって取得された健康状態情報、及び、通信部４１によって取得されたケア情報を記憶部４５に記憶する。また、制御部４２は、記憶部４５に記憶された健康状態情報、及び、記憶部４５に記憶されたケア情報の少なくとも一方に基づいて光源部４３を発光させる。言い換えれば、制御部４２は、取得された健康状態情報、及び、取得されたケア情報の少なくとも一方に基づいて光源部４３を発光させる。
【００３６】
制御部４２は、具体的には、プロセッサ、マイクロコンピュータ、または専用回路などによって実現される。制御部４２は、プロセッサ、マイクロコンピュータ、および専用回路のうち２つ以上の組み合わせによって実現されてもよい。
【００３７】
光源部４３は、制御部４２によって制御される光源である。光源部４３は、例えば、平面視形状が円形のシーリングライトであるが、長尺状のシーリングライトであってもよいし、ダウンライトまたはスポットライトなどであってもよい。光源部４３は、具体的には、第一光源４３ａ、及び、第二光源４３ｂを備える。
【００３８】
第一光源４３ａは、白色光を発する光源である。第一光源４３ａは、調光（照度（明るさ）の調整）に対応した光源であり、制御部４２によって明るさが調整される。
【００３９】
第二光源４３ｂは、青色の単色光を発する光源である。第二光源４３ｂには、例えば、発光ピーク波長が４６０ｎｍ以上４９０ｎｍ以下の青色の単色光を発する発光素子（ＬＥＤまたはレーザ）が用いられる。第二光源４３ｂは、調光（照度（明るさ）の調整）に対応した光源である。制御部４２によって明るさが調整される。
【００４０】
このように、光源部４３が第一光源４３ａ及び第二光源４３ｂを備えれば、制御部４２は、第一光源４３ａが発する光の明るさ、及び、第二光源４３ｂが発する光の明るさを調整することにより、光源部４３から出射される光に含まれる青色成分（例えば、波長が４６０ｎｍ以上４９０ｎｍ以下の成分）の量を変更することができる。
【００４１】
なお、光源部４３の具体的態様は、特に限定されない。光源部４３は、第一色温度の白色光を発する第一光源４３ａ、及び、第一色温度と異なる第二色温度の白色光を発する第二光源４３ｂを備えてもよい。この場合、制御部４２は、第一光源４３ａが発する光の明るさ、及び、第二光源４３ｂが発する光の明るさを調整することにより、光源部４３から出射される白色光の色温度が変更される。つまり、光源部４３から出射される光に含まれる青色成分の量を調整することができる。また、光源部４３の発光色が変更されることは必須ではなく、光源部４３は、１種類の光源のみを備えてもよい。
【００４２】
計時部４４は、現在時刻を計測する計時装置であり、計測した時刻を制御部４２に通知する。計時部４４は、制御部４２が光源部４３を光療法用の照射スケジュールにしたがって発光させるために用いられる。計時部４４は、具体的には、リアルタイムクロックＩＣなどであるが、どのような態様であってもよい。
【００４３】
記憶部４５は、通信部４１によって取得された健康状態情報、及び、通信部４１によって取得されたケア情報が記憶される記憶装置である。記憶部４５には、後述する各種判定に用いられる判定基準、光源部４３の発光に用いられる設定（パラメータ）、光療法用の照射スケジュールなども記憶される。記憶部４５には、制御部４２がプログラムを実行可能な構成である場合に、当該プログラムが記憶されてもよい。記憶部４５は、具体的には、半導体メモリなどによって実現される。
【００４４】
［動作］
次に、照明システム１０の動作について説明する。図３は、照明システム１０の動作例のシーケンス図である。なお、照明システム１０は、空間５０内を照明する通常モードの動作と、対象者Ａへ光療法用途の光を照射する光療法モードの動作とを選択的に実行することができ、図３のフローチャートは、通常モードで動作中に光療法モードに移行する例を示している。
【００４５】
まず、健康状態取得装置２０は、健康状態情報の取得を行う。健康状態取得装置２０の健康状態取得部２１は、対象者Ａの健康状態を示す健康状態情報を取得し（Ｓ１１）、通信部２２は、健康状態情報を照明装置４０に送信する（Ｓ１２）。
【００４６】
照明装置４０の通信部４１は、通信部２２によって送信された健康状態情報を取得（受信）し、制御部４２は、通信部４１によって受信された健康状態情報を記憶部４５に記憶する（Ｓ３１）。
【００４７】
次に、情報端末３０は、対象者Ａへの施療内容の入力を受け付ける。情報端末３０の操作受付部３１は、スタッフＳの施療内容の入力操作を受け付ける（Ｓ２１）。端末制御部３２は、入力操作に応じてケア情報を生成し、通信部３３は、端末制御部３２の制御に基づいて、生成されたケア情報を照明装置４０に送信する（Ｓ２２）。
【００４８】
照明装置４０の通信部４１は、通信部３３によって送信されたケア情報を取得（受信）し、制御部４２は、通信部３３によって受信された健康状態情報を記憶部４５に記憶する（Ｓ３２）。
【００４９】
続いて、情報端末３０の操作受付部３１がスタッフＳの光療法モードの動作を指示する操作を受け付けると（Ｓ２３）、通信部３３は、端末制御部３２の制御に基づいて、光療法モードの動作を指示するための指示信号を送信する（Ｓ２４）。
【００５０】
照明装置４０の通信部４１が指示信号を取得すると（Ｓ３３）、制御部４２は、取得された指示信号をトリガとして光療法モードの動作を開始する（Ｓ３４）。なお、照明システム１０が光療法専用のシステムであり、空間５０の照明に用いられない場合、通常モードから光療法モードに移行する処理は不要となる。
【００５１】
［ケア情報に基づく光療法］
光療法モードの動作において、照明装置４０の制御部４２は、例えば、取得されたケア情報に基づいて光源部４３の光の照射を制御する。例えば、ケア情報が対象者Ａの直近１週間の服薬情報（薬の種類、平均服薬量、及び、平均服薬時刻など）を含む場合、制御部４２は、ケア情報に基づいて設定を切り替える。図４は、ケア情報に基づく設定の切替動作のフローチャートである。
【００５２】
まず、制御部４２は、記憶部４５に記憶されたケア情報を参照する。制御部４２は、具体的には、ケア情報に含まれる服薬量を参照する（Ｓ４１）。
【００５３】
次に、制御部４２は、参照した服薬量（例えば、平均服薬量）が所定値以上であるか否かを判定する（Ｓ４２）。制御部４２は、具体的には、例えば、睡眠薬の服薬量が所定値以上であるか否かを判定する。
【００５４】
制御部４２は、服薬量が所定量未満であると判定した場合（Ｓ４２でＮｏ）、第１の設定で光を照射する（Ｓ４３）。一方、制御部４２は、服薬量が所定量以上であると判定した場合（Ｓ４２でＹｅｓ）、第１の設定と異なる第２の設定で光を照射する（Ｓ４４）。
【００５５】
第２の設定は、光療法において光の青色成分の積算照射量が第１の設定よりも多くなる設定である。第２の設定は、第１の設定よりも光療法の効果が大きいと考えられる設定である。
【００５６】
例えば、第２の設定は、出射光量、及び、出射光に含まれる青色成分の量が第１の設定と同一であり、光の照射時間が、第１の設定よりも長い設定である。また、第２の設定は、出射光に含まれる青色成分及び光の照射時間が第１の設定と同一であり、出射光量が、第１の設定よりも多い設定であってもよい。第２の設定は、光の照射時間及び出射光量が第１の設定と同一であり、出射光に含まれる青色成分の量が、第１の設定よりも多い設定であってもよい。青色成分の量は、例えば、制御部４２が第二光源４３ｂの明るさを調整することにより変更可能である。なお、第２の設定は、出射光量、光の照射時間、及び、出射光に含まれる青色成分の量の２つ以上が第１の設定と異なる設定であってもよい。
【００５７】
このように、制御部４２は、取得されたケア情報に基づいて、光源部４３が対象者に照射する光の光量、対象者Ａへの光の照射時間、及び、光源部４３が対象者に照射する光に含まれる青色成分の量の少なくとも１つを制御する。例えば、対象者Ａの服薬量が多いときに、青色成分の積算照射量が増えるように光が照射されることで、光療法の効果を高めることができる。
【００５８】
［健康状態情報に基づく光療法］
光療法モードの動作において、照明装置４０の制御部４２は、取得された健康状態情報に基づいて光源部４３の光の照射を制御してもよい。例えば、制御部４２は、取得された健康状態情報に基づいて設定を切り替えてもよい。図５は、健康状態情報に基づく設定の切り替えの判定基準を説明するための図である。なお、図５は、上述の第２の設定が用いられる場合の判定基準を示しており、図５に示される判定基準が満たされない場合は、第１の設定が用いられる。
【００５９】
まず、健康状態情報が対象者の認知症の程度を示す場合について説明する。健康状態情報が対象者Ａの認知症の程度を示す場合、制御部４２は、認知症テストのスコアが閾値以上である場合に第１の設定で光を照射し、認知症テストのスコアが閾値未満である場合に第２の設定で光を照射する。なお、ここでは、認知症テストのスコアが低いほど、認知症の程度が重いことを示す。
【００６０】
健康状態情報が対象者Ａの認知症の程度を示す場合、健康状態取得装置２０は、例えば、スマートフォン、タブレット端末、またはパーソナルコンピュータであり、健康状態取得部２１は、タッチパネルまたはキーボードなどのユーザインターフェースである。健康状態取得部２１には、対象者Ａが受検した、ＭＭＳＥ（Ｍｉｎｉ−Ｍｅｎｔａｌ  Ｓｔａｔｅ  Ｅｘａｍｉｎａｔｉｏｎ）、または、長谷川式簡易知能評価スケールなどの認知症のテストの受検結果（スコア）が入力される。なお、健康状態取得装置２０（情報端末）を通じて直接認知症のテストが行われてもよい。
【００６１】
認知症の程度が重い対象者に、認知症の程度が軽い対象者よりも青色成分の積算照射量が増えるように光が照射されることで、光療法の効果を高めることができる。
【００６２】
次に、健康状態情報が対象者の活動量を示す場合について説明する。健康状態情報が対象者Ａの活動量を示す場合、制御部４２は、活動量が所定量よりも多い場合に第１の設定で光を照射し、活動量が所定量未満である場合に第２の設定で光を照射する。
【００６３】
健康状態情報が対象者の活動量を示す場合、健康状態取得装置２０（健康状態取得部２１）は、例えば、対象者の体に装着される活動量計、または、スマートフォンなどの活動量計と同等の機能を有する携帯端末である。
【００６４】
活動量が少ないときには、活動量が多いときよりも青色成分の積算照射量が増えるように光が照射されることで、光療法の効果を高めることができる。
【００６５】
［ケア情報に基づく光の照射開始時刻の変更］
健康状態情報が対象者Ａの睡眠状態を示す場合、制御部４２は、対象者Ａの睡眠相が前進傾向であるか否かを判定することができる。光療法モードの動作において、制御部４２は、対象者Ａの睡眠相が前進傾向でない（後退傾向である）場合、図６に示されるような第１のスケジュールで光の照射を行い、対象者Ａの睡眠相が前進傾向である場合、図７に示されるような第２のスケジュールで光の照射を行ってもよい。図６は、対象者Ａの睡眠相が前進傾向でない場合に用いられる第１のスケジュールの一例を示す図である。図７は、対象者Ａの睡眠相が前進傾向である場合に用いられる第２のスケジュールの一例を示す図である。
【００６６】
なお、第１スケジュール及び第２スケジュールは、光療法用の照射スケジュールであり、光療法モードの動作における、時刻と光の照度との関係を示している。制御部４２は、計時部４４が計測する現在時刻に基づいてこのようなスケジュールに応じた光の照射を行うことができる。
【００６７】
このように、対象者Ａは、睡眠相が前進傾向でない場合に、図６に示される第１のスケジュールに基づいて午後よりも午前中に明るい光を浴びることで、生活リズムを維持して快適に過ごすことができる。また、対象者Ａは、睡眠相が前進傾向である場合に、図７に示される第２のスケジュールに基づいて午後の早い時間帯に明るい光を浴びることで、睡眠相を通常状態（睡眠相が前進傾向でない状態）に近づけることができる。対象者Ａの生活リズムの改善が図られる。
【００６８】
ここで、対象者Ａの睡眠相が前進傾向でない場合には、さらに、睡眠薬の服薬情報を含むケア情報に基づいて対象者Ａの眠気の強い時間帯を避けるように光の照射開始時刻が変更されてもよい。図８は、このような制御部４２の照射開始時刻の変更動作のフローチャートである。なお、ここでの照射開始時刻は、光療法モードの動作における光の照射開始時刻を意味する。
【００６９】
まず、制御部４２は、記憶部４５に記憶された健康状態情報（対象者Ａの睡眠状態を示す健康状態情報）を参照する（Ｓ５１）。次に、制御部４２は、参照した健康状態情報に基づいて、対象者Ａの睡眠相が前進傾向であるか否かを判定する（Ｓ５２）。制御部４２は、例えば、全睡眠時間に対して夜間に属する睡眠時間が所定の割合未満である場合に、対象者Ａの睡眠相が前進傾向であると判定し（Ｓ５２でＹｅｓ）、第２のスケジュールで光の照射を行う（Ｓ５３）。
【００７０】
一方、制御部４２は、全睡眠時間に対して夜間に属する睡眠時間が所定の割合以上である場合に、対象者Ａの睡眠相が前進傾向でないと判定する（Ｓ５２でＮｏ）。この場合、制御部４２は、記憶部４５に記憶されたケア情報（対象者Ａの睡眠薬の服薬情報）を参照し（Ｓ５４）、対象者Ａの眠気が強い時間帯を推定する（Ｓ５５）。図９は、対象者Ａの眠気が強い時間帯を推定する例を説明するための図である。
【００７１】
図９に示されるように、ケア情報において、対象者Ａが２０：００に睡眠薬Ａを２０ｍｇ服薬することが示されているとする。この場合、睡眠薬Ａを含む複数種類の睡眠薬について、当該睡眠薬の効果が半減する期間（半減期）が推定基準情報として記憶部４５に記憶されていれば、制御部４２は、ケア情報及び推定基準情報に基づいて対象者Ａの眠気が強い時間帯を推定することができる。なお、睡眠薬は、超短時間作用型、短時間作用型、中間作用型、及び、長時間作用型などの種類があり、種類に応じて半減期の長さが異なる。
【００７２】
図９の例では、制御部４２は、服薬後１８時間が経過するまでの時間帯は、眠気が強いと推定する。そうすると、制御部４２は、１４：００以前は眠気が強い時間帯であると推定し、眠気が強い時間帯が経過した後（１４：００以降）、光の照射を開始する（Ｓ５６）。つまり、制御部４２は、第１のスケジュールで光の照射が行われるケースにおいて、眠気が強いと推定される時間帯を避けるために光の照射の開始を遅らせる。
【００７３】
このように、制御部４２は、ケア情報に基づいて対象者Ａの眠気が強くなる時間帯を推定し、推定された時間帯の後の時刻を光の照射開始時刻とする。眠気が強い時間帯を避けて光の照射が行われることにより、光療法によって対象者Ａに不快感を与えることを抑制することができる。
【００７４】
なお、このように照射開始時刻が変更される場合も、図６に示される第１のスケジュールと同様に、制御部４２は、照射開始時刻から所定の期間をかけて光源部４３を徐々に明るくする制御を行うとよい。これにより、対象者Ａが光療法に順応しやすくなる効果が得られる。
【００７５】
ところで、睡眠相の改善を重視するのであれば、制御部４２は、第１のスケジュールに近いスケジュールで光の照射を開始したほうがよい。つまり、光の照射開始時刻を早めたほうがよい。そこで、制御部４２は、眠気が強い時間帯の終期に光の照射を開始してもよい。例えば、上記の例において、１４：００以降が対象者Ａの眠気が弱くなる時間帯であると推定されるが、制御部４２は、１４：００の３０分前（所定時間前）の１３：３０に光の照射を開始してもよい。このように、制御部４２は、推定された眠気が強い時間帯の終期に光の照射を開始してもよい。つまり、制御部４２は、眠気が強くなると推定された時間帯に属する時刻を光の照射開始時刻としてもよい。この場合も、制御部４２は、照射開始時刻から所定の期間をかけて光源部４３を徐々に明るくする制御を行うとよい。
【００７６】
［ケア情報に基づく光の照射開始時刻の決定］
なお、眠気の強い時間帯は、ケア情報によって示される他の施療内容に基づいて推定されてもよい。図１０は、対象者Ａの眠気が強い時間帯を推定する別の例を説明するための図である。
【００７７】
図１０の例では、ケア情報において、対象者Ａが１３：００〜１４：００の間に運動療法として平行棒歩行を行うことが示されている。この場合、運動療法が終了した後、１時間経過後から２時間経過前の期間（具体的には、１５：００〜１６：００）に眠気が強くなることが推定基準情報として記憶部４５に記憶されていれば、制御部４２は、ケア情報及び推定基準情報に基づいて対象者Ａの眠気が強い時間帯を推定することができる。
【００７８】
なお、このような場合、運動療法の結果、対象者Ａが仮眠をとってしまうことで対象者Ａの睡眠のリズムが崩れてしまう場合がある。そこで、制御部４２は、眠気が強い時間帯に光の照射を開始してもよい。上記の例では、制御部４２は、１５：００に光の照射を開始し、１６：００に光の照射を終了してもよい。
【００７９】
このように、制御部４２は、眠気が強くなると推定された時間帯に属する時刻を光の照射開始時刻としてもよい。これにより、対象者Ａが仮眠をとってしまうことが抑制され、対象者Ａの睡眠のリズムが崩れてしまうことを抑制することができる。
【００８０】
［健康状態情報に基づく光の照射開始時刻の決定］
制御部４２は、目覚まし用途で対象者Ａへの光の照射を行ってもよい。この場合、制御部４２は、睡眠状態を示す健康状態情報に基づいて平均的な起床時刻を特定し、特定した平均的な起床時刻の所定時間前を照射開始時刻としてもよい。この場合、制御部４２が照射開始時刻から所定の期間をかけて光源部４３を徐々に明るくする制御を行うことにより、対象者Ａを心地よく目覚めさせることができる。
【００８１】
［施療内容の変化に基づく光療法１］
光療法モードの動作において、制御部４２は、ケア情報が示す施療内容の変化に基づいて光源部４３の光の照射を制御してもよい。例えば、制御部４２は、ケア情報が示す施療内容の変化に基づいて設定を変更してもよい。図１１は、施療内容の変化に基づく設定の変更動作の第１フローチャートである。
【００８２】
制御部４２は、過去の１週間の間に第１の設定で光の照射を行っている場合に（Ｓ６１）、記憶部４５に記憶された、服薬情報を含むケア情報を参照する。制御部４２は、具体的には、ケア情報に含まれる服薬量を参照する（Ｓ６２）。ここで、服薬量には、過去１週間の服薬量の実績（例えば、１日あたりの平均服薬量）と、翌１週間の服薬予定量（例えば、１日あたりの平均服薬予定量）が含まれるものとする。
【００８３】
次に、制御部４２は、翌１週間の服薬予定量が過去１週間の服薬量の実績よりも少ないか否かを判定する（Ｓ６３）。制御部４２は、翌１週間の服薬予定量が過去１週間の服薬量の実績よりも少なくないと判定した場合（Ｓ６３でＮｏ）、動作を終了する。つまりこの場合、制御部４２は、過去１週間と同じ第１の設定で光を照射する。
【００８４】
一方、制御部４２は、翌１週間の服薬予定量が過去１週間の服薬量の実績よりも少ないと判定した場合（Ｓ６３でＹｅｓ）、第１の設定を第２の設定に変更して光を照射する（Ｓ６４）。
【００８５】
この場合の第２の設定は、光療法において光の青色成分の積算照射量が第１の設定よりも多くなる設定である。つまり、この場合の第２の設定は、第１の設定よりも光療法の効果が大きいと考えられる設定である。
【００８６】
例えば、第２の設定は、出射光量、及び、出射光に含まれる青色成分の量が第１の設定と同一であり、光の照射時間が、第１の設定よりも長い設定である。また、第２の設定は、出射光に含まれる青色成分及び光の照射時間が第１の設定と同一であり、出射光量が、第１の設定よりも多い設定であってもよい。第２の設定は、光の照射時間及び出射光量が第１の設定と同一であり、出射光に含まれる青色成分の量が、第１の設定よりも多い設定であってもよい。青色成分の量は、例えば、制御部４２が第二光源４３ｂの明るさを調整することにより変更可能である。なお、第２の設定は、出射光量、光の照射時間、及び、出射光に含まれる青色成分の量の２つ以上が第１の設定と異なる設定であってもよい。
【００８７】
このように、制御部４２は、取得されたケア情報の変化に基づいて、光源部４３が対象者に照射する光の光量、対象者Ａへの光の照射時間、及び、光源部４３が対象者に照射する光に含まれる青色成分の量の少なくとも１つを制御する。例えば、対象者Ａへの服薬量が減少したときに、青色成分の積算照射量が増えるように光が照射されることで、服薬量の減少を光療法によって補うことができる。
【００８８】
なお、制御部４２は、対象者Ａの健康状態に変化が無いことを設定変更の要件の１つとしてもよい。制御部４２は、具体的には、健康状態情報に基づいて対象者Ａの睡眠状態及び認知症レベルの少なくとも一方（または両方）に変化が無いと判定され、かつ、ケア情報に基づいて翌１週間の服薬予定量が過去１週間の服薬量の実績よりも少ないと判定された場合に、第１の設定を第２の設定に変更して光を照射してもよい。
【００８９】
［施療内容の変化に基づく光療法２］
図１１に示される動作の例は、対象者Ａの服薬量が少なくなる時期とほぼ同時期に光の照射の設定を変更することを想定した動作の例である。ここで、制御部４２は、ケア情報において服薬量が少なくなる予定があることが示されている場合に、実際に服薬量が少なくなる前に試験的に光の照射の設定を変更してもよい。図１２は、施療内容の変化に基づく設定の変更動作の第２フローチャートである。
【００９０】
制御部４２は、第１の設定で光の照射を行っている場合に（Ｓ７１）、記憶部４５に記憶された、服薬情報を含むケア情報を参照する。制御部４２は、具体的には、ケア情報に含まれる服薬量（服薬予定量を含む）を参照する（Ｓ７２）。
【００９１】
次に、制御部４２は、服薬予定量が減少する予定があるか否かを判定する（Ｓ７３）。制御部４２は、服薬予定量が減少する予定がないと判定した場合には（Ｓ７３でＮｏ）、動作を終了する。つまり、第１の設定での光の照射が継続される。
【００９２】
一方、制御部４２は、服薬予定量が減少する予定があると判定した場合（Ｓ７３でＹｅｓ）、第１の設定を第２の設定に変更して光を照射する（Ｓ７４）。ここで、図１１の場合と異なり、図１２では、第２の設定は、光療法において光の青色成分の積算照射量が第１の設定よりも少なくなる設定である。つまり、この場合の第２の設定は、第１の設定よりも光療法の効果が小さいと考えられる設定である。
【００９３】
例えば、第２の設定は、出射光量、及び、出射光に含まれる青色成分の量が第１の設定と同一であり、光の照射時間が、第１の設定よりも短い設定である。また、第２の設定は、出射光に含まれる青色成分及び光の照射時間が第１の設定と同一であり、出射光量が、第１の設定よりも少ない設定であってもよい。第２の設定は、光の照射時間及び出射光量が第１の設定と同一であり、出射光に含まれる青色成分の量が、第１の設定よりも少ない多い設定であってもよい。青色成分の量は、例えば、制御部４２が第二光源４３ｂの明るさを調整することにより変更可能である。なお、第２の設定は、出射光量、光の照射時間、及び、出射光に含まれる青色成分の量の２つ以上が第１の設定と異なる設定であってもよい。
【００９４】
このように、試験的に第１の設定よりも光療法の効果が小さい第２の設定で光の照射が行われても対象者Ａの健康状態に変化が無い場合には、医師等の判断により、対象者Ａの服薬量が減らされる。このような服薬量の減少は、ケア情報として情報端末３０を介して入力され、照明装置４０に送信される。
【００９５】
制御部４２は、このようにして送信され、かつ、通信部４１によって取得された（記憶部４５に記憶された）ケア情報に基づいて、服薬量が実際に減ったか否かを判定する（Ｓ７５）。この判定は、例えば、服薬量が実際に減るまで継続される（Ｓ７５でＮｏ）。
【００９６】
制御部４２は、服薬量が実際に減ったと判定すると（Ｓ７５でＹｅｓ）、第２の設定を第１の設定に変更して（戻して）光を照射する。
【００９７】
以上のような動作例によれば、医師等は、光療法を試験的に弱めた期間の対象者Ａの健康状態に基づいて、服薬量を実際に減らしてよいかを判断することができる。また、服薬量が実際に減ると、第２の設定が第１の設定に戻されるため、服薬量の減少を光療法によって補うことができる。このような動作の繰り返しにより、対象者Ａの服薬量をスムーズに減らすことができる。言い換えれば、服薬療法（投薬療法）の副作用（人格崩壊または認知機能の低下）の発生、または、服薬の長期化が抑制される。
【００９８】
［表示部に表示される画像の例］
上述の動作例によれば、制御部４２は、対象者Ａの眠気が強くなる時間帯を推定し、光療法モードの動作における光の照射開始時刻を変更または決定することができる。ここで、制御部４２は、対象者Ａの眠気が強くなると推定される時間帯を示す情報を生成し、生成した情報を通信部４１に送信させてもよい。同様に、制御部４２は、光療法モードの動作における光の照射開始時刻を示す情報を生成し、生成した情報を通信部４１に送信させてもよい。
【００９９】
これらの情報が情報端末３０の通信部３３によって受信されれば、端末制御部３２は、対象者Ａの眠気が強くなると推定される時間帯、及び、光療法モードの動作における光の照射開始時刻を示す画像を表示部３４に表示させることができる。図１３は、対象者Ａの眠気が強くなると推定される時間帯、及び、光療法モードの動作における光の照射開始時刻を示す画像の一例を示す図である。
【０１００】
図１３に示される画像においては、対象者Ａの眠気が強くなると推定される時間帯、及び、光療法モードの動作における光の照射開始時刻（図１３中で「光療法に適した時間」と記載）に加えて、推奨される対象者Ａへの施療内容が示されている。
【０１０１】
推奨される対象者Ａへの施療内容は、具体的には、服薬量を減らすことである。制御部４２は、睡眠状態を示す健康状態情報に基づいて、対象者Ａの睡眠相が前進傾向でも後退傾向でもない中間状態であるか否かを判定することができる。制御部４２は、対象者Ａの睡眠相が中間状態である期間が所定期間（例えば、１カ月以上）続くと、服薬量を減らすことを提案するメッセージ（提案メッセージ）を表示するための情報を通信部４１に送信させる。通信部３３によってこのような情報が受信されると、端末制御部３２は、提案メッセージを含む画像を表示する。
【０１０２】
このように、端末制御部３２は、表示部３４に、対象者Ａの眠気が強くなると推定される時間帯、光療法モードの動作における光の照射開始時刻、及び、推奨される対象者Ａへの施療内容の少なくとも１つを表示させてもよい。これにより、情報端末３０を操作するスタッフＳ等は、対象者Ａの眠気が強くなると推定される時間帯、光療法モードの動作における光の照射開始時刻、及び、推奨される対象者Ａへの施療内容の少なくとも１つを認識することができる。
【０１０３】
［効果等］
以上説明したように、照明システム１０は、対象者Ａに光を照射する光源部４３と、対象者Ａへの施療内容を示すケア情報を取得する通信部４１と、取得されたケア情報に基づいて光源部４３の光の照射を制御する制御部４２とを備える。通信部４１は、取得部の一例である。
【０１０４】
これにより、照明システム１０は、光療法の対象者に、当該対象者の施療内容に応じた光療法を行うことができる。つまり、光療法の対象者に、当該対象者の状態に応じた光療法を行うことができる照明システム１０が実現される。
【０１０５】
また、制御部４２は、取得されたケア情報に基づいて、光源部４３が対象者Ａに照射する光の光量、対象者Ａへの光の照射時間、及び、光源部４３が対象者Ａに照射する光に含まれる青色成分の量の少なくとも１つを制御してもよい。
【０１０６】
これにより、照明システム１０は、対象者の施療内容に応じて、光源部４３が対象者Ａに照射する光の光量、対象者Ａへの光の照射時間、及び、光源部４３が対象者Ａに照射する光に含まれる青色成分の量の少なくとも１つを変更することができる。
【０１０７】
また、制御部４２は、取得されたケア情報に基づいて、光源部４３の対象者Ａへの光の照射開始時刻を制御してもよい。
【０１０８】
これにより、照明システム１０は、対象者の施療内容に応じて、対象者Ａへの光の照射開始時刻を変更することができる。
【０１０９】
また、制御部４２は、取得されたケア情報に基づいて対象者Ａの眠気が強くなる時間帯を推定し、推定された時間帯の後の時刻を照射開始時刻としてもよい。
【０１１０】
これにより、照明システム１０は、対象者Ａの眠気が強くなると推定される時間帯を避けて対象者Ａに光を照射することができる。
【０１１１】
また、制御部４２は、取得されたケア情報に基づいて対象者Ａの眠気が強くなる時間帯を推定し、推定された時間帯に属する時刻を照射開始時刻としてもよい。
【０１１２】
これにより、照明システム１０は、対象者Ａの眠気が強くなると推定される時間帯に、対象者Ａへ光を照射することができる。例えば、照明システム１０は、対象者Ａを覚醒させることができる。
【０１１３】
また、制御部４２は、照射開始時刻から所定の期間をかけて光源部４３を徐々に明るくする制御を行ってもよい。
【０１１４】
これにより、対象者Ａが光の照射に順応しやすくなる効果が得られる。
【０１１５】
また、照明システム１０は、さらに、表示部３４と、表示部３４に、対象者Ａの眠気が強くなると推定される時間帯、上記照射開始時刻、及び、推奨される対象者Ａへの施療内容の少なくとも１つを表示させる端末制御部３２とを備えてもよい。端末制御部３２は、表示制御部の一例である。
【０１１６】
これにより、表示部３４を視認するスタッフＳ等は、対象者Ａの眠気が強くなると推定される時間帯、光療法モードの動作における光の照射開始時刻、及び、推奨される対象者Ａへの施療内容の少なくとも１つを認識することができる。
【０１１７】
また、制御部４２は、取得されたケア情報が示す施療内容の変化に基づいて光源部４３の光の照射を制御してもよい。
【０１１８】
これにより、照明システム１０は、対象者Ａの施療内容の変化を光療法によって補う制御ができる。
【０１１９】
また、取得されたケア情報には、対象者Ａの服薬量が含まれ、制御部４２は、第１の設定で光源部４３の光の照射を受けていた対象者の服薬量が減少する場合に、第１の設定を第１の設定と異なる第２の設定に変更して対象者Ａへの光の照射を行ってもよい。
【０１２０】
これにより、照明システム１０は、対象者Ａの服薬量の減少を光療法によって補う制御ができる。
【０１２１】
また、通信部３３は、さらに、対象者Ａの健康状態を示す健康状態情報を取得してもよい。制御部４２は、取得されたケア情報、及び、取得された健康状態情報に基づいて光源部４３の光の照射を制御してもよい。
【０１２２】
これにより、照明システム１０は、例えば、図８に示されるような、健康状態情報及びケア情報の両方を用いた光源部４３の光の照射の制御を行うことができる。
【０１２３】
（その他の実施の形態）
以上、実施の形態に係る照明システムについて説明したが、本発明は、上記実施の形態に限定されるものではない。
【０１２４】
例えば、上記実施の形態では、睡眠薬の服薬量または服薬予定量に基づく光の照射制御について説明されたが、睡眠薬以外の薬の服薬量または服薬予定量に基づいて光の照射制御が行われてもよい。つまり、ケア情報には、睡眠薬以外の薬の服薬情報が含まれてもよい。
【０１２５】
また、上記実施の形態で説明した装置間の通信方法については特に限定されるものではない。装置間で無線通信が行われる場合、無線通信の方式（通信規格）は、例えば、９２０ＭＨｚ帯の周波数を利用した特定小電力無線であるが、Ｚｉｇｂｅｅ（登録商標）、Ｂｌｕｅｔｏｏｔｈ（登録商標）または、無線ＬＡＮ（Ｌｏｃａｌ  Ａｒｅａ  Ｎｅｔｗｏｒｋ）などである。また、装置間においては、無線通信に代えて、有線通信が行われてもよい。有線通信は、具体的には、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信などである。
【０１２６】
また、上記実施の形態において、特定の処理部が実行する処理を別の処理部が実行してもよい。また、複数の処理の順序が変更されてもよいし、複数の処理が並行して実行されてもよい。また、照明システムが備える構成要素の複数の装置への振り分けは、一例である。例えば、一の装置が備える構成要素を他の装置が備えてもよい。また、照明システムは、単一の装置として実現されてもよい。
【０１２７】
また、照明システムは、クライアントサーバシステムとして実現されてもよい。例えば、上記実施の形態の情報端末が、施設内または施設外に配置されたサーバ装置とされ、照明装置がクライアント装置とされてもよい。この場合、情報端末は、例えば、健康状態取得装置から健康状態情報を取得し、上記実施の形態において照明装置が備える制御部が行った情報処理（モード切替、設定切替、光療法モードの動作における光の照射開始時刻の変更、対象者の眠気が強くなる時間帯の推定など）を行う。照明装置は、例えば、情報端末から送信される制御信号に基づいて受動的に動作する。
【０１２８】
また、上記実施の形態において、制御部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２９】
また、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１３０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、上記実施の形態の情報端末としてスマートフォンまたはタブレット端末などの汎用の携帯端末が利用される場合、本発明は、携帯端末（コンピュータ）を上記実施の形態の情報端末として機能させるためのアプリケーションプログラムとして実現されてもよい。また、本発明は、照明システムが実行する光の照射方法（光療法の実行方法）として実現されてもよい。また、本発明は、照明システムが備える照明装置として実現されてもよい。
【０１３１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３２】
１０  照明システム
４１  通信部（取得部）
３２  端末制御部（表示制御部）
３４  表示部
４２  制御部
４３  光源部
【図１】
2018183325.tif 000003
【図２】
2018183325.tif 000004
【図３】
2018183325.tif 000005
【図４】
2018183325.tif 000006
【図５】
2018183325.tif 000007
【図６】
2018183325.tif 000008
【図７】
2018183325.tif 000009
【図８】
2018183325.tif 000010
【図９】
2018183325.tif 000011
【図１０】
2018183325.tif 000012
【図１１】
2018183325.tif 000013
【図１２】
2018183325.tif 000014
【図１３】
2018183325.tif 000015